(57)【要約】【課題】セルフタイマー撮影のカウントダウン中に、これから行われる撮影の種別をより認識しやすくする。【解決手段】本発明の電子機器は、静止画の撮影指示に応じてセルフタイマーの計時を開始し、セルフタイマーの満了に応じて静止画の撮影を行うように制御し、動画の撮影指示に応じてセルフタイマーの計時を開始し、セルフタイマーの満了に応じて動画の記録を開始するように制御する制御手段と、静止画の撮影指示に応じたセルフタイマーの計時中に、静止画のセルフタイマー撮影のカウントダウン用のアイテムを表示し、動画の撮影指示に応じたセルフタイマーの計時中に、静止画のセルフタイマー撮影のカウントダウン用のアイテムとは異なる表示形態のアイテムであって、動画のセルフタイマー撮影のカウントダウン用のアイテムを表示するように制御する表示制御手段とを有する。【選択図】図８
2020085943.tif 000002
【特許請求の範囲】
【請求項１】
静止画の撮影指示に応じてセルフタイマーの計時を開始し、セルフタイマーの満了に応じて静止画の撮影を行うように制御し、
動画の撮影指示に応じてセルフタイマーの計時を開始し、セルフタイマーの満了に応じて動画の記録を開始するように制御する制御手段と、
静止画の撮影指示に応じたセルフタイマーの計時中に、計時前には表示されていない、静止画のセルフタイマー撮影のカウントダウン用のアイテムを表示し、
動画の撮影指示に応じたセルフタイマーの計時中に、前記静止画のセルフタイマー撮影のカウントダウン用のアイテムとは異なる表示形態のアイテムであって、計時前には表示されていない、動画のセルフタイマー撮影のカウントダウン用のアイテムを表示するように制御する表示制御手段と
を有することを特徴とする電子機器。
【請求項２】
静止画撮影モードと動画撮影モードを含む複数の撮影モードのいずれかに切り替える切替手段と、
前記静止画撮影モードにおける撮影指示に応じてセルフタイマーの計時を開始し、セルフタイマーの満了に応じて静止画の撮影を行うように制御し、
前記動画撮影モードにおける撮影指示に応じてセルフタイマーの計時を開始し、セルフタイマーの満了に応じて動画の記録を開始するように制御する制御手段と、
前記静止画撮影モードにおける撮影指示に応じたセルフタイマーの計時中に、計時前には表示されていない、静止画のセルフタイマー撮影のカウントダウン用のアイテムを表示し、
前記動画撮影モードにおける撮影指示に応じたセルフタイマーの計時中に、前記静止画のセルフタイマー撮影のカウントダウン用のアイテムとは異なる表示形態のアイテムであって、計時前には表示されていない、動画のセルフタイマー撮影のカウントダウン用のアイテムを表示するように制御する表示制御手段と
を有することを特徴とする電子機器。
【請求項３】
静止画の撮影指示に応じてセルフタイマーの計時を開始し、セルフタイマーの満了に応じて静止画の撮影を行うように制御し、
動画の撮影指示に応じてセルフタイマーの計時を開始し、セルフタイマーの満了に応じて動画の記録を開始するように制御する制御手段と、
静止画の撮影指示に応じたセルフタイマーの計時中にセルフタイマー撮影のカウントダウン用のアイテムを表示し、カウントダウンの残り時間が所定時間に達したことに応じて前記カウントダウン用のアイテムを非表示とし、
動画の撮影指示に応じたセルフタイマーの計時中にセルフタイマー撮影のカウントダウン用のアイテムを表示し、カウントダウンの残り時間が前記所定時間に達しても前記カウントダウン用のアイテムによるカウントダウンを継続するように制御する表示制御手段とを有することを特徴とする電子機器。
【請求項４】
前記表示制御手段は、前記静止画のセルフタイマー撮影のカウントダウン用のアイテムを、カウントダウンの残り時間が所定時間に達したことに応じて非表示とし、前記動画のセルフタイマー撮影のカウントダウン用のアイテムによるカウントダウンを、カウントダウンの残り時間が前記所定時間に達しても継続するように制御する
ことを特徴とする請求項１または２に記載の電子機器。
【請求項５】
前記表示制御手段は、前記動画のセルフタイマー撮影において、前記静止画のセルフタイマー撮影よりも大きいサイズでカウントダウン用のアイテムを表示するように制御することを特徴とする請求項１〜４のいずれか１項に記載の電子機器。
【請求項６】
前記静止画のセルフタイマー撮影と、前記動画のセルフタイマー撮影とについて、セルフタイマーの時間が個別に設定可能である
ことを特徴とする請求項１〜５のいずれか１項に記載の電子機器。
【請求項７】
前記静止画のセルフタイマー撮影と、前記動画のセルフタイマー撮影とで、カウントダウンの音出力が異なる
ことを特徴とする請求項１〜６のいずれか１項に記載の電子機器。
【請求項８】
前記動画のセルフタイマー撮影では、カウントダウンの途中までビープ音を鳴らして最後に言語音を発し、前記静止画のセルフタイマー撮影では、カウントダウンの最後に言語音を発しない
ことを特徴とする請求項７に記載の電子機器。
【請求項９】
前記表示制御手段は、前記静止画のセルフタイマー撮影と前記動画のセルフタイマー撮影とでカウントダウン用のアイテムの背景の色味が異なるように制御する
ことを特徴とする請求項１〜８のいずれか１項に記載の電子機器。
【請求項１０】
前記表示制御手段は、動画と静止画の両方を記録するセルフタイマー撮影のカウントダウン用のアイテムの背景の色味が、静止画のみのセルフタイマー撮影と同じになるように制御する
ことを特徴とする請求項９に記載の電子機器。
【請求項１１】
前記静止画のセルフタイマー撮影と前記動画のセルフタイマー撮影とで、表示に使用されない発光部がカウントダウン中に行う発光が異なる
ことを特徴とする請求項１〜１０のいずれか１項に記載の電子機器。
【請求項１２】
動画と静止画の両方を記録するセルフタイマー撮影のカウントダウン中に行われる前記発光部の発光は、静止画のみのセルフタイマー撮影と同じである
ことを特徴とする請求項１１に記載の電子機器。
【請求項１３】
前記表示制御手段は、前記静止画のセルフタイマー撮影において、静止画撮影を示す第１のアイテムをさらに表示し、前記動画のセルフタイマー撮影において、動画撮影を示す第２のアイテムをさらに表示するように制御する
ことを特徴とする請求項１〜１２のいずれか１項に記載の電子機器。
【請求項１４】
前記第１のアイテムは、前記静止画撮影を示す文字列を含み、
前記第２のアイテムは、前記動画撮影を示す文字列を含む
ことを特徴とする請求項１３に記載の電子機器。
【請求項１５】
前記第１のアイテムは、前記静止画撮影を示すアイコンを含み、
前記第２のアイテムは、前記動画撮影を示すアイコンを含む
ことを特徴とする請求項１３または１４に記載の電子機器。
【請求項１６】
前記表示制御手段は、前記静止画撮影を示すアイコンを静止表示し、前記動画撮影を示すアイコンを動画表示する
ことを特徴とする請求項１５に記載の電子機器。
【請求項１７】
前記表示制御手段は、動画と静止画の両方を記録するセルフタイマー撮影において、動画と静止画の両方を記録する撮影または静止画撮影を示す第３のアイテムをさらに表示す
るように制御する
ことを特徴とする請求項１３〜１６のいずれか１項に記載の電子機器。
【請求項１８】
前記第３のアイテムは、動画と静止画の両方を記録する撮影を示す文字列を含む
ことを特徴とする請求項１７に記載の電子機器。
【請求項１９】
前記第３のアイテムは、前記静止画撮影を示すアイコンと前記動画撮影を示すアイコンとの両方を含む、または、前記動画撮影を示すアイコンを含まずに前記静止画撮影を示すアイコンを含む
ことを特徴とする請求項１７または１８に記載の電子機器。
【請求項２０】
前記表示制御手段は、前記静止画のセルフタイマー撮影のカウントダウン用のアイテムを表示面の上下方向における中央部分には表示せず、前記動画のセルフタイマー撮影のカウントダウン用のアイテムを前記中央部分に表示するように制御する
ことを特徴とする請求項１〜１９のいずれか１項に記載の電子機器。
【請求項２１】
前記表示制御手段は、前記静止画のセルフタイマー撮影において、自分撮りモードの場合に、そうでない場合よりも大きいサイズでカウントダウン用のアイテムを表示するように制御する
ことを特徴とする請求項１〜２０のいずれか１項に記載の電子機器。
【請求項２２】
静止画の撮影指示に応じてセルフタイマーの計時を開始し、セルフタイマーの満了に応じて静止画の撮影を行うように制御し、
動画の撮影指示に応じてセルフタイマーの計時を開始し、セルフタイマーの満了に応じて動画の記録を開始するように制御するステップと、
静止画の撮影指示に応じたセルフタイマーの計時中に、計時前には表示されていない、静止画のセルフタイマー撮影のカウントダウン用のアイテムを表示し、
動画の撮影指示に応じたセルフタイマーの計時中に、前記静止画のセルフタイマー撮影のカウントダウン用のアイテムとは異なる表示形態のアイテムであって、計時前には表示されていない、動画のセルフタイマー撮影のカウントダウン用のアイテムを表示するように制御するステップと
を有することを特徴とする電子機器の制御方法。
【請求項２３】
静止画撮影モードと動画撮影モードを含む複数の撮影モードのいずれかに切り替えるステップと、
前記静止画撮影モードにおける撮影指示に応じてセルフタイマーの計時を開始し、セルフタイマーの満了に応じて静止画の撮影を行うように制御し、
前記動画撮影モードにおける撮影指示に応じてセルフタイマーの計時を開始し、セルフタイマーの満了に応じて動画の記録を開始するように制御するステップと、
前記静止画撮影モードにおける撮影指示に応じたセルフタイマーの計時中に、計時前には表示されていない、静止画のセルフタイマー撮影のカウントダウン用のアイテムを表示し、
前記動画撮影モードにおける撮影指示に応じたセルフタイマーの計時中に、前記静止画のセルフタイマー撮影のカウントダウン用のアイテムとは異なる表示形態のアイテムであって、計時前には表示されていない、動画のセルフタイマー撮影のカウントダウン用のアイテムを表示するように制御するステップと
を有することを特徴とする電子機器の制御方法。
【請求項２４】
静止画の撮影指示に応じてセルフタイマーの計時を開始し、セルフタイマーの満了に応じて静止画の撮影を行うように制御し、
動画の撮影指示に応じてセルフタイマーの計時を開始し、セルフタイマーの満了に応じて動画の記録を開始するように制御するステップと、
静止画の撮影指示に応じたセルフタイマーの計時中にセルフタイマー撮影のカウントダウン用のアイテムを表示し、カウントダウンの残り時間が所定時間に達したことに応じて前記カウントダウン用のアイテムを非表示とし、
動画の撮影指示に応じたセルフタイマーの計時中にセルフタイマー撮影のカウントダウン用のアイテムを表示し、カウントダウンの残り時間が前記所定時間に達しても前記カウントダウン用のアイテムによるカウントダウンを継続するように制御するステップと
を有することを特徴とする電子機器の制御方法。
【請求項２５】
コンピュータを、請求項１乃至２１のいずれか１項に記載された電子機器の各手段として機能させるためのプログラム。
【請求項２６】
コンピュータを、請求項１乃至２１のいずれか１項に記載された電子機器の各手段として機能させるためのプログラムを格納したコンピュータが読み取り可能な記憶媒体。
【発明の詳細な説明】
【技術分野】
【０００１】
本発明は、電子機器及びその制御方法に関し、特に、セルフタイマー撮影におけるカウントダウン中の動作通知を行う技術に関する。
【背景技術】
【０００２】
デジタルカメラや、カメラ機能付きの携帯電話端末などにおいて、セルフタイマーを用いた撮影を行うものが知られている。
【０００３】
特許文献１には、携帯電話機の背面側に搭載されたカメラによるセルフタイマー撮影について次のことが提案されている。セルフタイマーの開始をキー操作にて指示すると、ＬＥＤが点滅を始める。そして撮影の３秒前になると、ＬＥＤが点滅速度を速め、被撮影者へ間もなく撮影することを知らせる。それととともに、３秒前から携帯電話機の背面側に搭載されているサブ表示部によってカウントダウン表示を行うことで、被撮影者に対して具体的にあと何秒で撮影されるかを知らせる。
【０００４】
特許文献２には、人物撮影を行うためでない暗所用の動作モードでのセルフタイマー撮影では、発光によるセルフタイマーの動作通知を行わないことで、周辺環境への悪影響を低減することが提案されている。
【先行技術文献】
【特許文献】
【０００５】
【特許文献１】特開２００４−２８２３９９号公報
【特許文献２】特開２０１５−４０９７２号公報
【発明の概要】
【発明が解決しようとする課題】
【０００６】
従来、セルフタイマー撮影のカウントダウン中に、これから行われるのが静止画撮影であるか動画撮影であるかをユーザーが認識し難いという課題があった。そのため、セルフタイマー撮影のカウントダウン中に、これから行われるのが静止画撮影であるか動画撮影であるのかについて誤解したままカウントダウンの時間を費やしてしまうことがある。例えば、ユーザーは動画の撮影を開始するつもりでセルフタイマーを用いた撮影指示を行ったが、操作を誤って静止画の撮影指示を行ってしまい、そのことに気付かずにカウントダウンの時間を費やしてしまうという状況が考えられる。この場合、セルフタイマーのカウントダウン後に実際に撮影が行われて初めて、動画の撮影ではなく静止画の撮影が行われてしまったことに気付くことになる。そのため、セルフタイマーのカウントダウンの時間を無駄に費やしてしまい、操作をやり直して意図通りの撮影を行うまでに時間を費やしてしまう。特許文献１，２では、この課題について考慮されていない。
【０００７】
そこで本発明は、セルフタイマー撮影のカウントダウン中に、これから行われる撮影の種別をより認識しやすくした電子機器、電子機器の制御方法、プログラム及び記憶媒体を提供することを目的とする。
【課題を解決するための手段】
【０００８】
本発明の電子機器は、静止画の撮影指示に応じてセルフタイマーの計時を開始し、セルフタイマーの満了に応じて静止画の撮影を行うように制御し、動画の撮影指示に応じてセルフタイマーの計時を開始し、セルフタイマーの満了に応じて動画の記録を開始するように制御する制御手段と、静止画の撮影指示に応じたセルフタイマーの計時中に、計時前に
は表示されていない、静止画のセルフタイマー撮影のカウントダウン用のアイテムを表示し、動画の撮影指示に応じたセルフタイマーの計時中に、前記静止画のセルフタイマー撮影のカウントダウン用のアイテムとは異なる表示形態のアイテムであって、計時前には表示されていない、動画のセルフタイマー撮影のカウントダウン用のアイテムを表示するように制御する表示制御手段とを有することを特徴とする。
【発明の効果】
【０００９】
本発明によれば、セルフタイマー撮影のカウントダウン中に、これから行われる撮影の種別をユーザーがより認識しやすくなる。
【図面の簡単な説明】
【００１０】
【図１】デジタルカメラの外観図である。
【図２】デジタルカメラのブロック図である。
【図３】静止画撮影モード処理のフローチャートである。
【図４】動画撮影モード処理のフローチャートである。
【図５】プラスムービーモード処理のフローチャートである。
【図６】セルフタイマー設定処理のフローチャートである。
【図７】撮影待機画面の一例である。
【図８】セルフタイマーのカウントダウン中に表示される画面の一例である。
【図９】セルフタイマー設定画面の一例である。
【図１０】セルフタイマーのカウントダウン中に表示される画面の一例である。
【発明を実施するための形態】
【００１１】
以下、図面を参照して本発明の好適な実施形態を説明する。
【００１２】
図１（ａ），１（ｂ）に本発明を適用可能な装置の一例としてのデジタルカメラ（電子機器かつ表示制御装置）の外観図を示す。図１（ａ）はデジタルカメラ１００の背面斜視図であり、図１（ｂ）はデジタルカメラ１００の前面斜視図である。表示部２８は画像や各種情報を表示する表示部である。シャッターボタン６１は撮影指示を行うための操作部材である。撮影モードダイヤル６０は複数の撮影モードのいずれかに切り替えるための操作部材（切替部材）である。電源スイッチ７２は、電源のオン／オフを切り替えるための押しボタンである。コネクタ１１２は、パーソナルコンピュータやプリンタなどの外部機器と接続するための接続ケーブル１１１とデジタルカメラ１００とのコネクタである。操作部７０はユーザーからの各種操作を受け付ける各種スイッチ、ボタン、タッチパネル等の操作部材より成る操作部である。４方向キー７３は、操作部７０の一種であり、上下左右のいずれかの方向に押し込み可能（上キー、下キー、左キー、右キーのいずれかを押下可能）な方向指示部材である。再生ボタン７４は、操作部７０の一種であり、再生モードに移行するための押しボタンである。電源オフの状態で再生ボタン７４が押下されると再生モードで起動し、いずれかの撮影モードの状態で再生ボタン７４が押下されると再生モードへ移行する。動画ボタン７６は、操作部７０の一種であり、動画撮影の開始指示を行うための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。これにより、記録媒体２００への画像の記録や、記録媒体２００に記録された画像の再生などが可能となる。蓋２０３は記録媒体スロット２０１の蓋である。図１（ａ）においては、蓋２０２を開けてスロット２０１から記録媒体２００の一部を取り出して露出させた状態を示している。発光部１４０はＬＥＤ（発光ダイオード）などからなり、所定の発光／非発光のパターンによってカメラ前面側に存在する被写体にデジタルカメラ１００の動作状態（例えば、セルフタイマーのカウントダウン中や撮影の開始など）を通知する。発光部１４０は被写体側から視認できるようにカメラ前面（被写体側、撮像
面側）に配置されている。スピーカー９２はブザー音などを鳴らすことにより被写体にデジタルカメラ１００の動作状態（例えば、セルフタイマーのカウントダウン中や撮影の開始など）を通知する。表示部２８は、デジタルカメラ１００の本体部に対する相対的な位置を変更可能なバリアングルモニタ部に備えられている。バリアングルモニタ部は不図示の連結部を介してデジタルカメラ１００に連結されている。バリアングルモニタ部は、表示部２８の表示面がカメラ背面側を向く標準位置（図１（ａ）の位置）と、表示部２８の表示面が被写体側（撮影方向側）を向く対面位置（図１（ｂ）の位置）とを少なくとも含む複数の位置のうちいずれかとすることができる。
【００１３】
図２は、デジタルカメラ１００の構成例を示すブロック図である。図２において、撮影レンズ１０３はズームレンズやフォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。Ｄ／Ａ変換器１３は、メモリ３２に格納されている表示用の画像データをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上で、Ｄ／Ａ変換器１３からのアナログ信号に応じた表示を行う。Ａ／Ｄ変換器２３によってデジタル信号に変換されメモリ３２に蓄積された画像データをＤ／Ａ変換器１３においてアナログ信号に変換し、表示部２８に逐次転送して表示する。これにより、電子ビューファインダとしての機能が実現でき、スルー画像表示（ライブビュー表示（ＬＶ表示））が行える。以下、ライブビュー表示で表示される画像を「ＬＶ画像」と称する。
【００１７】
不揮発性メモリ５６は、電気的に消去・記録可能な記録媒体としてのメモリであり、例えばＥＥＰＲＯＭ等である。不揮発性メモリ５６には、システム制御部５０の動作用の定数、プログラム等が記録される。ここでいう、プログラムとは、本実施形態にて後述する各種フローチャートを実行するためのコンピュータプログラムのことである。
【００１８】
システム制御部５０は、少なくとも１つのプロセッサーまたは回路を有する制御部であり、デジタルカメラ１００全体を制御する。システム制御部５０は、前述した不揮発性メ
モリ５６に記録されたプログラムを実行することで、後述する本実施形態の各処理を実現する。システムメモリ５２には、例えばＲＡＭが用いられる。システムメモリ５２には、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。
【００１９】
システムタイマー５３は各種制御に用いる時間や、内蔵された時計の時間を計測する計時部である。撮影モードダイヤル６０、シャッターボタン６１、電源スイッチ７２、操作部７０はシステム制御部５０に各種の動作指示を入力するために使用される。シャッターボタン６１は、第１シャッタースイッチ６２と第２シャッタースイッチ６４を備える。
【００２０】
撮影モードダイヤル６０は、システム制御部５０の動作モードを複数の静止画撮影モード、プラスムービーモード、動画撮影モードのいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモードがある。また、静止画撮影モードには、撮影シーン別の撮影設定となる各種シーンモード、カスタムモード等がある。撮影モードダイヤル６０が指し示す位置によって、オート撮影モード、オートシーン判別モード、マニュアルモード、絞り優先モード（Ａｖモード）、シャッター速度優先モード（Ｔｖモード）、プログラムＡＥモード、シーンモード、カスタムモード、動画撮影モード、プラスムービーモードのいずれかに設定される。ユーザーは、撮影モードダイヤル６０を回転させることにより、これらの撮影モードのいずれかに切り替えることができる。また、撮影モードダイヤル６０でシーンモードに切り替えた後に、シーンモードに含まれる複数の撮影モード（例えば、自分撮りモード（セルフポートレートモード）、星空撮影モード、キッズアンドペット撮影モードなど）のいずれかを選択して設定できる。静止画撮影モードと同様に、動画撮影モードにも複数のモードが含まれていてもよい。
【００２１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザーは、表示部２８に表示されたメニュー画面と、４方向キー７３やＳＥＴボタンとを用いて直感的に各種設定を行うことができる。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ
供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２５】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２６】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２７】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である、加速度センサーやジャイロセンサーを用いて、デジタルカメラ１００の動き（パン、チルト、持ち上げ、静止しているか否か等）を検知することも可能である。
【００２８】
図３は、デジタルカメラ１００で行われる静止画撮影モード処理の詳細を示すフローチャートである。この処理は、システム制御部５０が不揮発性メモリ５６に記録されたプログラムをシステムメモリ５２に展開して実行することにより実現される。デジタルカメラ１００を静止画撮影モードで起動したり、システム制御部５０が静止画撮影モードに切り替えたりすると、図３の処理が開始する。
【００２９】
ステップＳ３０１では、システム制御部５０は、静止画撮影モードの撮影待機画面を表示部２８に表示する。図７（ａ）は、静止画撮影モードの撮影待機画面の一例を示す。図７（ａ）の画面では、ＬＶ画像７０１とアイテム７０２〜７０４が表示される。アイテム７０２は、静止画撮影モード（マニュアルモード）であることを示すアイコンであり、アイテム７０３は、静止画の撮影設定（残り記録可能枚数、画質、シャッター速度など）を示すアイテムである。アイテム７０４は、動画の撮影設定（解像度、フレームレート、圧縮方式など）を示すアイテムである。
【００３０】
ステップＳ３０２では、システム制御部５０は、セルフタイマー設定操作が行われたか否かを判定する。セルフタイマー設定操作が行われたと判定した場合はステップＳ３０３へ進み、そうでない場合はステップＳ３０４へ進む。
【００３１】
ステップＳ３０３では、システム制御部５０はセルフタイマー設定処理を行う。セルフタイマー設定処理の詳細については、図６などを用いて後述する。
【００３２】
ステップＳ３０４では、システム制御部５０は、その他の設定操作が行われたか否かを判定する。その他の設定操作が行われたと判定した場合はステップＳ３０５へ進み、そうでない場合はステップＳ３０６へ進む。
【００３３】
ステップＳ３０５では、システム制御部５０は、その他の設定（ステップＳ３０４で行われた設定操作に応じた設定）を行う。例えば、システム制御部５０は、画質、シャッタ
ー速度、絞り、ＩＳＯ感度などの設定（変更）を行う。
【００３４】
ステップＳ３０６では、システム制御部５０は、動画ボタン７６が押下された否かを判定する。動画ボタン７６が押下されたと判定した場合はステップＳ３０７へ進み、そうでない場合はステップＳ３１０へ進む。
【００３５】
ステップＳ３０７では、システム制御部５０は、記録媒体２００への動画（撮像部２２から信号を読み出して生成した動画；撮影動画）の記録を開始する。ステップＳ３０８では、システム制御部５０は、動画ボタン７６が押下された否かを判定し、動画ボタン７６が押下されるの待つ。動画ボタン７６が押下されたと判定した場合はステップＳ３０９へ進む。ステップＳ３０９では、システム制御部５０は、動画の記録を停止する。これにより、ステップＳ３０６で動画ボタン７６が押下されてから、ステップＳ３０８で動画ボタン７６が再び押下されるまでの動画に対応する動画ファイルが生成される。このように、本実施形態では、静止画撮影モードであっても動画撮影（セルフタイマー撮影ではない）が可能である。
【００３６】
ステップＳ３１０では、システム制御部５０は、シャッターボタン６１の半押しがあったか否かを判定する。つまり、システム制御部５０は、第１シャッタースイッチ６２のＯＮによる第１シャッタースイッチ信号ＳＷ１が発生したか否かを判定する。半押しがあったと判定した場合はステップＳ３１１へ進み、そうでない場合はステップＳ３２５へ進む。
【００３７】
ステップＳ３１１では、システム制御部５０は、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００３８】
ステップＳ３１２では、システム制御部５０は、シャッターボタン６１の全押しがあったか否かを判定する。つまり、システム制御部５０は、第２シャッタースイッチ６４のＯＮによる第２シャッタースイッチ信号ＳＷ２が発生したか否かを判定する。全押しがあったと判定した場合はステップＳ３１４へ進み、そうでない場合はステップＳ３１３へ進む。
【００３９】
ステップＳ３１３では、システム制御部５０は、シャッターボタン６１の半押しが解除されたか否かを判定する。半押しが解除されたと判定した場合はステップＳ３２５へ進み、そうでない場合（半押しが継続している場合）はステップＳ３１２へ進む。
【００４０】
ステップＳ３１４では、システム制御部５０は、静止画セルフタイマー（静止画撮影モードのセルフタイマー）が設定されているか否かを判定する。静止画セルフタイマーが設定されていると判定した場合はステップＳ３１５へ進み、そうでない場合はステップＳ３２３へ進む。
【００４１】
ステップＳ３１５では、システム制御部５０は、静止画セルフタイマーのカウントダウンを開始する。
【００４２】
ステップＳ３１６では、システム制御部５０は、静止画セルフタイマーのカウントダウンの残り時間に応じたアイテム（カウントダウン用のアイテム）を表示部２８に表示する。図８（ａ）は、静止画セルフタイマーのカウントダウン中（計時中）に表示部２８に表示される画面の一例を示す。図８（ａ）の画面では、ＬＶ画像７０１、アイテム７０２，７０４，８０１〜８０３が表示される。アイテム８０１は、静止画のセルフタイマー撮影のカウントダウン用のアイテムであり、比較的小さいサイズで表示される。アイテム８０
１は円形であり、アイテム８０１には、カウントダウンの残り時間を示す数値が記載されている。アイテム８０２は静止画撮影を示すアイコンである。アイテム８０３は、静止画撮影や、静止画のセルフタイマー撮影のカウント中などを示す文字列である。ユーザーは、アイテム８０１が比較的小さいことや、アイコン８０２の表示、文字列８０３の表示などから、これから行われる撮影が静止画撮影であることを容易に認識することができる。アイテム８０１〜８０３は静止画セルフタイマーのカウントダウン前（計時前）には表示されない。ステップＳ３１６ではアイテム８０１が表示され、アイコン８０２と文字列８０３は後述するステップＳ３１９，Ｓ３２１で表示される。
【００４３】
ステップＳ３１７では、システム制御部５０は、発光部１４０を点滅させる。詳細は後述するが、動画撮影モードでは発光部１４０は点灯する。このため、ユーザーは、これから行われる撮影が静止画撮影であることを、発光部１４０の点滅からも認識できる。
【００４４】
ステップＳ３１８では、システム制御部５０は、カウントダウン用のアイテム８０１の背景（ＬＶ画像７０１）の色味を青色に近づける。例えば、ＬＶ画像７０１に半透明の青色マスクを重畳する。これにより、カウントダウン用のアイテム８０１の背景（ＬＶ画像７０１）が青味を帯びて表示される。詳細は後述するが、動画撮影モードでは、カウントダウン用のアイテムの背景の色味が赤色に近づけられる。このため、ユーザーは、これから行われる撮影が静止画撮影であることを、カウントダウン用のアイテムの背景（ＬＶ画像７０１）の色味からも認識できる。
【００４５】
ステップＳ３１９では、システム制御部５０は、静止画撮影を示すアイコン８０２を表示部２８に静止表示する。詳細は後述するが、動画撮影モードでは、動画撮影を示すアイコンとして、アイコン８０２とは絵柄が異なるアイコンが動画表示される。このため、ユーザーは、これから行われる撮影が静止画撮影であることを、アイコン８０２の絵柄や、アイコン８０２が静止画であること等から認識できる。
【００４６】
ステップＳ３２０では、システム制御部５０は、スピーカー９２からビープ音を鳴らす。
【００４７】
ステップＳ３２１では、システム制御部５０は、静止画撮影や、静止画のセルフタイマー撮影のカウント中などを示す文字列８０３（ガイダンス）を表示部２８に表示する。
【００４８】
ステップＳ３２２では、システム制御部５０は、静止画セルフタイマーが満了した（静止画セルフタイマーのカウントダウンが開始してから、設定された時間が経過した）か否かを判定する。静止画セルフタイマーが満了したと判定した場合はステップＳ３２３へ進み、そうでない場合はステップＳ３１６へ進む。
【００４９】
ステップＳ３２３では、システム制御部５０は、撮像部２２からの信号読み出しなどを含む静止画撮影を行う。
【００５０】
ステップＳ３２４では、システム制御部５０は、ステップＳ３２３で撮影された静止画を静止画ファイルとして記録媒体２００に記録する。
【００５１】
ステップＳ３２５では、システム制御部５０は、撮影モード変更操作（撮影モードダイヤル６０に対する操作；撮影モードを変更する操作）が行われたか否かを判定する。撮影モード変更操作が行われたと判定した場合はステップＳ３２６へ進み、そうでない場合はステップＳ３３１へ進む。
【００５２】
ステップＳ３２６では、システム制御部５０は、ステップＳ３２５の撮影モード変更操
作が動画撮影モードへ変更する操作であるか否かを判定する。動画撮影モードへ変更する操作であると判定した場合はステップＳ３２７へ進み、そうでない場合はステップＳ３２８へ進む。
【００５３】
ステップＳ３２７では、システム制御部５０は、動画撮影モード処理を行う。動画撮影モード処理の詳細については、図４などを用いて後述する。
【００５４】
ステップＳ３２８では、システム制御部５０は、ステップＳ３２５の撮影モード変更操作がプラスムービーモードへ変更する操作であるか否かを判定する。プラスムービーモードへ変更する操作であると判定した場合はステップＳ３２９へ進み、そうでない場合（他の静止画撮影モードへ変更する操作である場合）はステップＳ３３０へ進む。
【００５５】
ステップＳ３２９では、システム制御部５０は、プラスムービーモード処理を行う。プラスムービーモード処理の詳細については、図５などを用いて後述する。
【００５６】
ステップＳ３３０では、システム制御部５０は、変更後の静止画撮影モードに応じた設定を行う。静止画撮影モードから他の静止画撮影モードへの変更は、静止画撮影モードに含まれる複数の撮影モード（オート撮影モード、オートシーン判別モード、マニュアルモード、絞り優先モード（Ａｖモード）、シャッター速度優先モード（Ｔｖモード）、プログラムＡＥモード、シーンモード、カスタムモード等）の間での遷移である。
【００５７】
ステップＳ３３１では、システム制御部５０は、再生モード移行操作（再生ボタン７４の押下；再生モードへ移行する操作）が行われたか否かを判定する。再生モード移行操作が行われたと判定した場合は再生モードへ移行し、そうでない場合はステップＳ３３２へ進む。
【００５８】
ステップＳ３３２では、システム制御部５０は、静止画撮影モード処理を終了するか否かを判定する。例えば、システム制御部５０は、デジタルカメラ１００の電源オフを指示する操作（電源スイッチ７２の押下）が行われた場合に、静止画撮影モード処理を終了すると判定する。静止画撮影モード処理を終了すると判定した場合は静止画撮影モード処理を終了し、そうでない場合はステップＳ３０２へ進む。
【００５９】
図４は、デジタルカメラ１００で行われる動画撮影モード処理の詳細を示すフローチャートである。この処理は、システム制御部５０が不揮発性メモリ５６に記録されたプログラムをシステムメモリ５２に展開して実行することにより実現される。デジタルカメラ１００を動画撮影モードで起動したり、システム制御部５０が動画撮影モードに切り替えたりすると、図４の処理が開始する。
【００６０】
ステップＳ４０１では、システム制御部５０は、動画撮影モードの撮影待機画面を表示部２８に表示する。図７（ｂ）は、動画撮影モードの撮影待機画面の一例を示す。図７（ｂ）の画面では、ＬＶ画像７０１とアイテム７１２，７１４が表示される。アイテム７１２は、動画撮影モードであることを示すアイコンであり、アイテム７１４は、動画の撮影設定（解像度、フレームレート、圧縮方式など）を示すアイテムである。
【００６１】
ステップＳ４０２では、システム制御部５０は、セルフタイマー設定操作が行われたか否かを判定する。セルフタイマー設定操作が行われたと判定した場合はステップＳ４０３へ進み、そうでない場合はステップＳ４０４へ進む。
【００６２】
ステップＳ４０３では、システム制御部５０はセルフタイマー設定処理を行う。セルフタイマー設定処理の詳細については、図６などを用いて後述する。
【００６３】
ステップＳ４０４では、システム制御部５０は、その他の設定操作が行われたか否かを判定する。その他の設定操作が行われたと判定した場合はステップＳ４０５へ進み、そうでない場合はステップＳ４０６へ進む。
【００６４】
ステップＳ４０５では、システム制御部５０は、その他の設定（ステップＳ４０４で行われた設定操作に応じた設定）を行う。例えば、システム制御部５０は、解像度、フレームレート、圧縮方式などの設定（変更）を行う。
【００６５】
ステップＳ４０６では、システム制御部５０は、動画ボタン７６が押下された否かを判定する。動画ボタン７６が押下されたと判定した場合はステップＳ４０７へ進み、そうでない場合はステップＳ４２１へ進む。
【００６６】
ステップＳ４０７では、システム制御部５０は、動画セルフタイマー（動画撮影モードのセルフタイマー）が設定されているか否かを判定する。動画セルフタイマーが設定されていると判定した場合はステップＳ４０８へ進み、そうでない場合はステップＳ４１８へ進む。
【００６７】
ステップＳ４０８では、システム制御部５０は、動画セルフタイマーのカウントダウンを開始する。
【００６８】
ステップＳ４０９では、システム制御部５０は、動画セルフタイマーのカウントダウンの残り時間に応じたアイテム（カウントダウン用のアイテム）を表示部２８に表示する。図８（ｂ）は、動画セルフタイマーのカウントダウン中に表示部２８に表示される画面の一例を示す。図８（ｂ）の画面では、ＬＶ画像７０１、アイテム７１２，７１４，８１１〜８１３が表示される。アイテム８１１は、動画のセルフタイマー撮影のカウントダウン用のアイテムであり、比較的大きいサイズ（図８（ａ）のアイテム８０１よりも大きいサイズ）で表示される。アイテム８１１は円形であり、アイテム８１１には、カウントダウンの残り時間を示す数値が記載されている。アイテム８１２は動画撮影を示すアイコンである。アイテム８１３は、動画撮影や、動画のセルフタイマー撮影のカウント中などを示す文字列である。ユーザーは、アイテム８１１が比較的大きいことや、アイコン８１２の表示、文字列８１３の表示などから、これから行われる撮影が動画撮影であることを容易に認識することができる。アイテム８１１〜８１３は動画セルフタイマーのカウントダウン前には表示されない。ステップＳ４０９ではアイテム８１１が表示され、アイコン８１２と文字列８１３は後述するステップＳ４１２，Ｓ４１４で表示される。
【００６９】
ステップＳ４１０では、システム制御部５０は、発光部１４０を点灯（非点滅）させる。静止画撮影モードでは発光部１４０は点滅するため、ユーザーは、これから行われる撮影が動画撮影であることを、発光部１４０の点灯からも認識できる。
【００７０】
ステップＳ４１１では、システム制御部５０は、カウントダウン用のアイテム８１１の背景（ＬＶ画像７０１）の色味を赤色に近づける。例えば、ＬＶ画像７０１に半透明の赤色マスクを重畳する。これにより、カウントダウン用のアイテム８１１の背景（ＬＶ画像７０１）が赤味を帯びて表示される。静止画撮影モードでは、カウントダウン用のアイテムの背景の色味が青色に近づけられるため、ユーザーは、これから行われる撮影が動画撮影であることを、カウントダウン用のアイテムの背景（ＬＶ画像７０１）の色味からも認識できる。
【００７１】
ステップＳ４１２では、システム制御部５０は、動画撮影を示すアイコン８１２を表示部２８に動画表示する。図８（ｂ）では、アイコン８１２には人物モチーフが描かれてお
り、人物モチーフがダンスしているようなアニメーションが行われる。静止画撮影モードでは、静止画撮影を示すアイコンとして、アイコン８１２とは絵柄が異なるアイコン８０２が静止表示される。このため、ユーザーは、これから行われる撮影が動画撮影であることを、アイコン８１２の絵柄や、アイコン８１２が動画であること等から認識できる。
【００７２】
ステップＳ４１３では、システム制御部５０は、スピーカー９２からビープ音を鳴らす。
【００７３】
ステップＳ４１４では、システム制御部５０は、動画撮影や、動画のセルフタイマー撮影のカウント中などを示す文字列８１３（ガイダンス）を表示部２８に表示する。
【００７４】
ステップＳ４１５では、システム制御部５０は、動画セルフタイマーの残り時間が所定時間に達した（動画セルフタイマーのカウントダウンが開始してから閾値時間（設定された時間−所定時間）が経過した）か否かを判定する。動画セルフタイマーの設定時間が１０秒で所定時間が１秒の場合には、動画セルフタイマーのカウントダウンが開始してから９秒経過したか否かが判定される。残り時間が所定時間に達したと判定した場合はステップＳ４１６へ進み、そうでない場合はステップＳ４０９へ進む。
【００７５】
ステップＳ４１６では、システム制御部５０は、スピーカー９２から「アクション」などの言語音を発する。動画セルフタイマーのカウントダウンの途中までビープ音を鳴らして最後に言語音を発することで、被写体となる人物などは、動画の記録開始に合わせて好適（スムーズ）に動きを開始することができる。
【００７６】
ステップＳ４１７では、システム制御部５０は、動画セルフタイマーが満了した（動画セルフタイマーのカウントダウンが開始してから、設定された時間が経過した）か否かを判定し、動画セルフタイマーが満了するのを待つ。動画セルフタイマーの設定時間が１０秒の場合には、動画セルフタイマーのカウントダウンが開始してから１０秒経過したか否かが判定される。動画セルフタイマーが満了したと判定した場合はステップＳ４１８へ進む。
【００７７】
ステップＳ４１８では、システム制御部５０は、記録媒体２００への動画（撮像部２２から信号を読み出して生成した動画；撮影動画）の記録を開始する。ステップＳ４１９では、システム制御部５０は、動画ボタン７６が押下された否かを判定し、動画ボタン７６が押下されるの待つ。動画ボタン７６が押下されたと判定した場合はステップＳ４２０へ進む。ステップＳ４２０では、システム制御部５０は、動画の記録を停止する。これにより、動画のセルフタイマー撮影でない場合は、ステップＳ４０６で動画ボタン７６が押下されてから、ステップＳ４１９で動画ボタン７６が再び押下されるまでの動画に対応する動画ファイルが生成される。動画のセルフタイマー撮影の場合は、動画セルフタイマーが満了してから、ステップＳ４１９で動画ボタン７６が押下されるまでの動画に対応する動画ファイルが生成される。
【００７８】
ステップＳ４２１では、システム制御部５０は、撮影モード変更操作が行われたか否かを判定する。撮影モード変更操作が行われたと判定した場合はステップＳ４２２へ進み、そうでない場合はステップＳ４２５へ進む。
【００７９】
ステップＳ４２２では、システム制御部５０は、ステップＳ４２１の撮影モード変更操作が静止画撮影モードへ変更する操作であるか否かを判定する。静止画撮影モードへ変更する操作であると判定した場合はステップＳ４２３へ進み、そうでない場合（プラスムービーモードへ変更する操作である場合）はステップＳ４２４へ進む。
【００８０】
ステップＳ４２３では、システム制御部５０は、図３の静止撮影モード処理を行う。ステップＳ４２４では、システム制御部５０は、プラスムービーモード処理を行う。プラスムービーモード処理の詳細については、図５などを用いて後述する。
【００８１】
ステップＳ４２５では、システム制御部５０は、再生モード移行操作が行われたか否かを判定する。再生モード移行操作が行われたと判定した場合は再生モードへ移行し、そうでない場合はステップＳ４２６へ進む。
【００８２】
ステップＳ４２６では、システム制御部５０は、動画撮影モード処理を終了するか否かを判定する。例えば、システム制御部５０は、デジタルカメラ１００の電源オフを指示する操作（電源スイッチ７２の押下）が行われた場合に、動画撮影モード処理を終了すると判定する。動画撮影モード処理を終了すると判定した場合は動画撮影モード処理を終了し、そうでない場合はステップＳ４０２へ進む。
【００８３】
図５は、デジタルカメラ１００で行われるプラスムービーモード処理の詳細を示すフローチャートである。この処理は、システム制御部５０が不揮発性メモリ５６に記録されたプログラムをシステムメモリ５２に展開して実行することにより実現される。デジタルカメラ１００をプラスムービーモードで起動したり、システム制御部５０がプラスムービーモードに切り替えたりすると、図５の処理が開始する。
【００８４】
プラスムービーモードでは、例えば日ごと等、所定の期間内に撮影された各静止画について、静止画撮影前の所定時間分の動画を撮影し、当該動画が連結された動画ファイルを各静止画と関連付けて記録する。即ち、プラスムービーモードでは１つの動画に対して１以上の静止画が関連付けられる。また、プラスムービーモードでは、所定の期間において最初に静止画が撮影される際に動画がダイジェスト動画として生成され、その後はファイル名を変更することなく、静止画の撮影ごとに当該動画に撮影前の所定時間分の動画が追記されていく。なお、ファイル容量あるいは動画全体の時間が、１つのダイジェスト動画の容量あるいは時間として予め定められた値を超えない限り追記が実行されるため、基本的には所定の期間に１つの動画ファイルのみが記録される。
【００８５】
ステップＳ５０１では、システム制御部５０は、メモリ３２（バッファ）への動画（撮影動画）の記録を開始する。メモリ３２に記録させる動画の最長時間として例えば４秒等の所定時間が設定される。システム制御部５０は、メモリ３２に記憶させる動画の時間がこの最長時間を超える場合は、超える時間分、撮影された時刻が古いフレームから順に削除する。
【００８６】
ステップＳ５０２では、システム制御部５０は、プラスムービーモードの撮影待機画面を表示部２８に表示する。図７（ｃ）は、プラスムービーモードの撮影待機画面の一例を示す。図７（ｃ）の画面では、ＬＶ画像７０１とアイテム７２２，７２４が表示される。アイテム７２２は、プラスムービーモードであることを示すアイコンであり、アイテム７２４は、動画の撮影設定（解像度、フレームレート、圧縮方式など）を示すアイテムである。
【００８７】
ステップＳ５０３では、システム制御部５０は、セルフタイマー設定操作が行われたか否かを判定する。セルフタイマー設定操作が行われたと判定した場合はステップＳ５０４へ進み、そうでない場合はステップＳ５０５へ進む。
【００８８】
ステップＳ５０４では、システム制御部５０はセルフタイマー設定処理を行う。セルフタイマー設定処理の詳細については、図６などを用いて後述する。
【００８９】
ステップＳ５０５では、システム制御部５０は、その他の設定操作が行われたか否かを判定する。その他の設定操作が行われたと判定した場合はステップＳ５０６へ進み、そうでない場合はステップＳ５０７へ進む。
【００９０】
ステップＳ５０６では、システム制御部５０は、その他の設定（ステップＳ５０５で行われた設定操作に応じた設定）を行う。例えば、システム制御部５０は、静止画撮影について画質、シャッター速度、絞り、ＩＳＯ感度などの設定（変更）を行ったり、動画撮影について解像度、フレームレート、圧縮方式などの設定（変更）を行ったりする。
【００９１】
ステップＳ５０７では、システム制御部５０は、動画ボタン７６が押下された否かを判定する。動画ボタン７６が押下されたと判定した場合はステップＳ５０８へ進み、そうでない場合はステップＳ５１１へ進む。
【００９２】
ステップＳ５０８では、システム制御部５０は、記録媒体２００への動画（撮像部２２から信号を読み出して生成した動画；ダイジェスト動画でない撮影動画）の記録を開始する。ステップＳ５０９では、システム制御部５０は、動画ボタン７６が押下された否かを判定し、動画ボタン７６が押下されるの待つ。動画ボタン７６が押下されたと判定した場合はステップＳ５１０へ進む。ステップＳ５１０では、システム制御部５０は、動画の記録を停止する。これにより、ステップＳ５０７で動画ボタン７６が押下されてから、ステップＳ５０９で動画ボタン７６が再び押下されるまでの動画に対応する動画ファイルが生成される。このように、本実施形態では、プラスムービーモードであっても動画撮影（セルフタイマー撮影や、ダイジェスト動画の撮影ではない）が可能である。
【００９３】
ステップＳ５１１では、システム制御部５０は、シャッターボタン６１の半押しがあったか否かを判定する。つまり、システム制御部５０は、第１シャッタースイッチ６２のＯＮによる第１シャッタースイッチ信号ＳＷ１が発生したか否かを判定する。半押しがあったと判定した場合はステップＳ５１２へ進み、そうでない場合はステップＳ５２７へ進む。
【００９４】
ステップＳ５１２では、システム制御部５０は、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００９５】
ステップＳ５１３では、システム制御部５０は、シャッターボタン６１の全押しがあったか否かを判定する。つまり、システム制御部５０は、第２シャッタースイッチ６４のＯＮによる第２シャッタースイッチ信号ＳＷ２が発生したか否かを判定する。全押しがあったと判定した場合はステップＳ５１５へ進み、そうでない場合はステップＳ５１４へ進む。
【００９６】
ステップＳ５１４では、システム制御部５０は、シャッターボタン６１の半押しが解除されたか否かを判定する。半押しが解除されたと判定した場合はステップＳ５２７へ進み、そうでない場合（半押しが継続している場合）はステップＳ５１３へ進む。
【００９７】
ステップＳ５１５では、システム制御部５０は、プラスムービーセルフタイマー（プラスムービーモードのセルフタイマー）が設定されているか否かを判定する。プラスムービーセルフタイマーが設定されていると判定した場合はステップＳ５１６へ進み、そうでない場合はステップＳ５２４へ進む。
【００９８】
ステップＳ５１６では、システム制御部５０は、プラスムービーセルフタイマーのカウントダウンを開始する。
【００９９】
ステップＳ５１７では、システム制御部５０は、プラスムービーセルフタイマーのカウントダウンの残り時間に応じたアイテム（カウントダウン用のアイテム）を表示部２８に表示する。図８（ｃ）は、プラスムービーセルフタイマーのカウントダウン中に表示部２８に表示される画面の一例を示す。図８（ｃ）の画面では、ＬＶ画像７０１、アイテム７２２，７２４，８２１〜８２３が表示される。アイテム８２１は、プラスムービーモードのセルフタイマー撮影（静止画と動画の両方を記録するセルフタイマー撮影）のカウントダウン用のアイテムであり、静止画のセルフタイマー撮影と同様に比較的小さいサイズで表示される。アイテム８２１は円形であり、アイテム８２１には、カウントダウンの残り時間を示す数値が記載されている。プラスムービーモードでは、静止画と動画の両方が記録されるが、セルフタイマー撮影の対象は静止画である。プラスムービーモードでは、静止画撮影前の所定時間分の動画が記録されるのであって、セルフタイマーの満了によって動画の記録が開始されるわけではない（動画のセルフタイマー撮影が行われるわけではない）。このため、カウントダウン用のアイテム８２１のサイズなどを静止画撮影モードに合わせている。アイテム８２２は、静止画撮影を示すアイコンと動画撮影を示すアイコンとを含む。アイテム８２３は、プラスムービーモードの撮影や、プラスムービーモードのセルフタイマー撮影のカウント中などを示す文字列である。ユーザーは、アイテム８２１が比較的小さいことや、アイテム８２２の表示、文字列８２３の表示などから、セルフタイマーで撮影されるのが静止画であることを容易に認識することができる。さらに、ユーザーは、アイテム８２２の表示や文字列８２３の表示などから、静止画と共に動画が記録されることなども容易に認識することができる。アイテム８２１〜８２３はプラスムービーセルフタイマーのカウントダウン前には表示されない。ステップＳ５１７ではアイテム８２１が表示され、アイテム８２２と文字列８２３は後述するステップＳ５２０，Ｓ５２２で表示される。
【０１００】
ステップＳ５１８では、システム制御部５０は、静止画撮影モードと同様に発光部１４０を点滅させる。従って、ユーザーは、セルフタイマーで撮影されるのが静止画であることを、発光部１４０の点滅からも認識できる。なお、動画撮影モードと同様に発光部１４０を点灯させてもよい。プラスムービーモードでの発光部１４０の発光は、静止画撮影モードおよび動画撮影モードと異なってもよい。
【０１０１】
ステップＳ５１９では、システム制御部５０は、静止画撮影モードと同様に、カウントダウン用のアイテム８２１の背景（ＬＶ画像７０１）の色味を青色に近づける。従って、ユーザーは、セルフタイマーで撮影されるのが静止画であることを、カウントダウン用のアイテムの背景（ＬＶ画像７０１）の色味からも認識できる。なお、動画撮影モードと同様に背景の色味を赤色に近づけてもよい。プラスムービーモードでの背景の色味は、静止画撮影モードおよび動画撮影モードと異なってもよい。
【０１０２】
ステップＳ５２０では、システム制御部５０は、アイテム８２２（静止画撮影を示すアイコンと動画撮影を示すアイコン）を表示部２８に静止表示する。静止画撮影を示すアイコンと動画撮影を示すアイコンの両方が静止表示されることにより、ユーザーは、セルフタイマーで撮影されるのが静止画であることや、静止画と共に動画が記録されることなどを容易に認識することができる。なお、動画撮影を示すアイコンを表示せずに、静止画撮影を示すアイコンを表示してもよい。そうであっても、ユーザーは、セルフタイマーで撮影されるのが静止画であることを容易に認識することができる。静止画撮影を示すアイコンを表示せずに、動画撮影を示すアイコンを表示してもよい。静止画撮影を示すアイコンと、動画撮影を示すアイコンとの少なくとも一方を動画表示してもよい。
【０１０３】
ステップＳ５２１では、システム制御部５０は、スピーカー９２からビープ音を鳴らす。
【０１０４】
ステップＳ５２２では、システム制御部５０は、プラスムービーモードの撮影や、プラスムービーモードのセルフタイマー撮影のカウント中などを示す文字列８２３（ガイダンス）を表示部２８に表示する。
【０１０５】
ステップＳ５２３では、システム制御部５０は、プラスムービーセルフタイマーが満了した（プラスムービーセルフタイマーのカウントダウンが開始してから、設定された時間が経過した）か否かを判定する。プラスムービーセルフタイマーが満了したと判定した場合はステップＳ５２４へ進み、そうでない場合はステップＳ５１７へ進む。
【０１０６】
ステップＳ５２４では、システム制御部５０は、撮像部２２からの信号読み出しなどを含む静止画撮影を行う。
【０１０７】
ステップＳ５２５では、システム制御部５０は、ステップＳ５２４で撮影された静止画を静止画ファイルとして記録媒体２００に記録する。
【０１０８】
ステップＳ５２６では、システム制御部５０は、メモリ３２（バッファ）に記録されている動画を、ダイジェスト動画ファイル（ダイジェスト動画の動画ファイル）の少なくとも一部として記録媒体２００に記録する。具体的には、現在の所定期間に記録されたダイジェスト動画ファイルが記録媒体２００に存在しない場合に、システム制御部５０は、メモリ３２に記録されている動画を、新規のダイジェスト動画ファイルとして記録媒体２００に記録する。一方で、現在の所定期間に記録されたダイジェスト動画ファイルが記録媒体２００に存在する場合には、システム制御部５０は、メモリ３２に記録されている動画を、当該ダイジェスト動画ファイルに、続きの動画として連結して記録する。
【０１０９】
ステップＳ５２７では、システム制御部５０は、撮影モード変更操作が行われたか否かを判定する。撮影モード変更操作が行われたと判定した場合はステップＳ５２８へ進み、そうでない場合はステップＳ５３１へ進む。
【０１１０】
ステップＳ５２８では、システム制御部５０は、ステップＳ５２７の撮影モード変更操作が静止画撮影モードへ変更する操作であるか否かを判定する。静止画撮影モードへ変更する操作であると判定した場合はステップＳ５２９へ進み、そうでない場合（動画撮影モードへ変更する操作である場合）はステップＳ５３０へ進む。
【０１１１】
ステップＳ５２９では、システム制御部５０は、図３の静止撮影モード処理を行う。ステップＳ５３０では、システム制御部５０は、図４の動画撮影モード処理を行う。
【０１１２】
ステップＳ５３１では、システム制御部５０は、再生モード移行操作が行われたか否かを判定する。再生モード移行操作が行われたと判定した場合は再生モードへ移行し、そうでない場合はステップＳ５３２へ進む。
【０１１３】
ステップＳ５３２では、システム制御部５０は、プラスムービーモード処理を終了するか否かを判定する。例えば、システム制御部５０は、デジタルカメラ１００の電源オフを指示する操作（電源スイッチ７２の押下）が行われた場合に、プラスムービーモード処理を終了すると判定する。プラスムービーモード処理を終了すると判定した場合はプラスムービーモード処理を終了し、そうでない場合はステップＳ５０３へ進む。
【０１１４】
図６は、デジタルカメラ１００で行われるセルフタイマー設定処理（図３のステップＳ３０３、図４のステップＳ４０３、及び、図５のステップＳ５０４）の詳細を示すフローチャートである。この処理は、システム制御部５０が不揮発性メモリ５６に記録されたプ
ログラムをシステムメモリ５２に展開して実行することにより実現される。
【０１１５】
ステップＳ６０１では、システム制御部５０は、静止画撮影モードが設定されているか否かを判定する。静止画撮影モードが設定されていると判定した場合はステップＳ６０２へ進み、そうでない場合はステップＳ６０６へ進む。図３（静止画撮影モード処理）のステップＳ３０３のセルフタイマー設定処理ではステップＳ６０２へ進む。
【０１１６】
ステップＳ６０２では、システム制御部５０は、静止画セルフタイマー設定画面（静止画セルフタイマーを設定するための設定画面）を表示部２８に表示する。図９（ａ）は、静止画セルフタイマー設定画面の一例を示す。図９（ａ）の画面では、ＬＶ画像７０１とアイテム９０１〜９０４が表示される。アイテム９０１は、静止画セルフタイマーの設定（静止画セルフタイマーの時間や有効／無効など）を示す文字列（ガイダンス）である。アイテム９０２〜９０４は、静止画セルフタイマーの設定の選択肢である。選択肢９０２は、静止画セルフタイマーを有効かつ１０秒とするための選択肢であり、選択肢９０３は、静止画セルフタイマーを有効かつ２秒とするための選択肢であり、選択肢９０４は、静止画セルフタイマーを無効とするための選択肢である。ユーザーは、選択肢９０２〜９０４のいずれかを選択して静止画セルフタイマーの設定を行うことができる。選択肢９０２〜９０４のいずれかを選択して静止画セルフタイマーの設定が変わると、選ばれた選択肢に応じて文字列９０１も変わる。なお、所定の範囲（２０秒以下の範囲）の任意の時間が静止画セルフタイマーの時間として設定できてもよい。
【０１１７】
ステップＳ６０３では、システム制御部５０は、選ばれた選択肢に応じて処理を切り替える。選択肢９０２が選ばれたと判定した場合はステップＳ６０４へ進み、選択肢９０３が選ばれたと判定した場合はステップＳ６０５へ進み、選択肢９０４が選ばれたと判定した場合はステップＳ６０６へ進む。
【０１１８】
ステップＳ６０４では、システム制御部５０は、静止画セルフタイマーを有効かつ１０秒に設定し、当該設定を不揮発性メモリ５６に記録する。また、ステップＳ６０４の処理により静止画セルフタイマーの設定が変わる場合に、システム制御部５０は、静止画セルフタイマーが有効かつ１０秒であることを示すように文字列９０１を変更する。
【０１１９】
ステップＳ６０５では、システム制御部５０は、静止画セルフタイマーを有効かつ２秒に設定し、当該設定を不揮発性メモリ５６に記録する。また、ステップＳ６０５の処理により静止画セルフタイマーの設定が変わる場合に、システム制御部５０は、静止画セルフタイマーが有効かつ２秒であることを示すように文字列９０１を変更する。
【０１２０】
ステップＳ６０６では、システム制御部５０は、静止画セルフタイマーを無効に設定し、当該設定を不揮発性メモリ５６に記録する。また、ステップＳ６０６の処理により静止画セルフタイマーの設定が変わる場合に、システム制御部５０は、静止画セルフタイマーが無効であることを示すように文字列９０１を変更する。
【０１２１】
ステップＳ６０７では、システム制御部５０は、動画撮影モードが設定されているか否かを判定する。動画撮影モードが設定されていると判定した場合はステップＳ６０８へ進み、そうでない場合はステップＳ６１３へ進む。図４（動画撮影モード処理）のステップＳ４０３のセルフタイマー設定処理ではステップＳ６０８へ進む。
【０１２２】
ステップＳ６０８では、システム制御部５０は、動画セルフタイマー設定画面（動画セルフタイマーを設定するための設定画面）を表示部２８に表示する。図９（ｂ）は、動画セルフタイマー設定画面の一例を示す。図９（ｂ）の画面では、ＬＶ画像７０１とアイテム９１１〜９１４が表示される。アイテム９１１は、動画セルフタイマーの設定（動画セ
ルフタイマーの時間や有効／無効など）を示す文字列（ガイダンス）である。アイテム９１２〜９１４は、動画セルフタイマーの設定の選択肢である。選択肢９１２は、動画セルフタイマーを有効かつ１０秒とするための選択肢であり、選択肢９１３は、動画セルフタイマーを有効かつ２秒とするための選択肢であり、選択肢９１４は、動画セルフタイマーを無効とするための選択肢である。ユーザーは、選択肢９１２〜９１４のいずれかを選択して動画セルフタイマーの設定を行うことができる。選択肢９１２〜９１４のいずれかを選択して動画セルフタイマーの設定が変わると、選ばれた選択肢に応じて文字列９１１も変わる。なお、所定の範囲（２０秒以下の範囲）の任意の時間が動画セルフタイマーの時間として設定できてもよい。
【０１２３】
ステップＳ６０９では、システム制御部５０は、選ばれた選択肢に応じて処理を切り替える。選択肢９１２が選ばれたと判定した場合はステップＳ６１０へ進み、選択肢９１３が選ばれたと判定した場合はステップＳ６１１へ進み、選択肢９１４が選ばれたと判定した場合はステップＳ６１２へ進む。
【０１２４】
ステップＳ６１０では、システム制御部５０は、動画セルフタイマーを有効かつ１０秒に設定し、当該設定を不揮発性メモリ５６に記録する。また、ステップＳ６１０の処理により動画セルフタイマーの設定が変わる場合に、システム制御部５０は、動画セルフタイマーが有効かつ１０秒であることを示すように文字列９１１を変更する。
【０１２５】
ステップＳ６１１では、システム制御部５０は、動画セルフタイマーを有効かつ２秒に設定し、当該設定を不揮発性メモリ５６に記録する。また、ステップＳ６１１の処理により動画セルフタイマーの設定が変わる場合に、システム制御部５０は、動画セルフタイマーが有効かつ２秒であることを示すように文字列９１１を変更する。
【０１２６】
ステップＳ６１２では、システム制御部５０は、動画セルフタイマーを無効に設定し、当該設定を不揮発性メモリ５６に記録する。また、ステップＳ６１２の処理により動画セルフタイマーの設定が変わる場合に、システム制御部５０は、動画セルフタイマーが無効であることを示すように文字列９１１を変更する。
【０１２７】
ステップＳ６１３では、システム制御部５０は、プラスムービーモードが設定されているか否かを判定する。プラスムービーモードが設定されていると判定した場合はステップＳ６１４へ進み、そうでない場合はステップＳ６１９へ進む。図５（プラスムービーモード処理）のステップＳ５０４のセルフタイマー設定処理ではステップＳ６１４へ進む。
【０１２８】
ステップＳ６１４では、システム制御部５０は、プラスムービーセルフタイマー設定画面（プラスムービーセルフタイマーを設定するための設定画面）を表示部２８に表示する。図９（ｃ）は、プラスムービーセルフタイマー設定画面の一例を示す。図９（ｃ）の画面では、ＬＶ画像７０１とアイテム９２１〜９２４が表示される。アイテム９２１は、プラスムービーセルフタイマーの設定（プラスムービーセルフタイマーの時間や有効／無効など）を示す文字列（ガイダンス）である。アイテム９２２〜９２４は、プラスムービーセルフタイマーの設定の選択肢である。選択肢９２２は、プラスムービーセルフタイマーを有効かつ１０秒とするための選択肢であり、選択肢９２３は、プラスムービーセルフタイマーを有効かつ２秒とするための選択肢である。そして、選択肢９２４は、プラスムービーセルフタイマーを無効とするための選択肢である。ユーザーは、選択肢９２２〜９２４のいずれかを選択してプラスムービーセルフタイマーの設定を行うことができる。選択肢９２２〜９２４のいずれかを選択してプラスムービーセルフタイマーの設定が変わると、選ばれた選択肢に応じて文字列９１１も変わる。なお、所定の範囲（２０秒以下の範囲）の任意の時間がプラスムービーセルフタイマーの時間として設定できてもよい。
【０１２９】
ステップＳ６１５では、システム制御部５０は、選ばれた選択肢に応じて処理を切り替える。選択肢９２２が選ばれたと判定した場合はステップＳ６１６へ進み、選択肢９２３が選ばれたと判定した場合はステップＳ６１７へ進み、選択肢９２４が選ばれたと判定した場合はステップＳ６１８へ進む。
【０１３０】
ステップＳ６１６では、システム制御部５０は、プラスムービーセルフタイマーを有効かつ１０秒に設定し、当該設定を不揮発性メモリ５６に記録する。また、ステップＳ６１６の処理によりプラスムービーセルフタイマーの設定が変わる場合に、システム制御部５０は、プラスムービーセルフタイマーが有効かつ１０秒であることを示すように文字列９２１を変更する。
【０１３１】
ステップＳ６１７では、システム制御部５０は、プラスムービーセルフタイマーを有効かつ２秒に設定し、当該設定を不揮発性メモリ５６に記録する。また、ステップＳ６１７の処理によりプラスムービーセルフタイマーの設定が変わる場合に、システム制御部５０は、プラスムービーセルフタイマーが有効かつ２秒であることを示すように文字列９２１を変更する。
【０１３２】
ステップＳ６１８では、システム制御部５０は、プラスムービーセルフタイマーを無効に設定し、当該設定を不揮発性メモリ５６に記録する。また、ステップＳ６１８の処理によりプラスムービーセルフタイマーの設定が変わる場合に、システム制御部５０は、プラスムービーセルフタイマーが無効であることを示すように文字列９２１を変更する。
【０１３３】
このように、静止画セルフタイマー、動画セルフタイマー、及び、プラスムービーセルフタイマーは個別に設定される。なお、静止画セルフタイマーの設定、動画セルフタイマーの設定、及び、プラスムービーセルフタイマーの設定は、互いに区別して不揮発性メモリ５６に記録される。
【０１３４】
なお、図９（ａ）〜９（ｃ）の例では選択肢の数や種類が動作モードに依存しないが、動作モードに依って選択肢の数や種類が異なってもよい。例えば、静止画撮影モードとプラスムービーモードでは、１０秒と２秒と無効の３種類の選択肢が表示され、動画撮影モードでは、２０秒と１５秒と１０秒と無効の４種類の選択肢が表示されてもよい。
【０１３５】
ステップＳ６１９では、システム制御部５０は、セルフタイマー設定終了操作が行われたか否かを判定する。セルフタイマー設定終了操作が行われたと判定した場合はステップＳ６２０へ進み、そうでない場合はステップＳ６０１へ進む。
【０１３６】
ステップＳ６２０では、システム制御部５０は、撮影待機画面を表示部２８に表示する（図９（ａ）〜９（ｃ）のいずれかのセルフタイマー設定画面から撮影待機画面への遷移）。静止画撮影モードの場合は図７（ａ）の撮影待機画面を表示し、動画撮影モードの場合は図７（ｂ）の撮影待機画面を表示し、プラスムービーモードの場合は図７（ｃ）の撮影待機画面を表示する。
【０１３７】
以上述べたように、本実施形態によれば、セルフタイマー撮影のカウントダウン用のアイテムの表示形態などが動作モードに応じて変更される。これにより、セルフタイマー撮影のカウントダウン中に、これから行われる撮影の種別をユーザーがより認識しやすくなる。具体的には、ユーザーは、カウントダウン用のアイテムの表示形態などから、セルフタイマー撮影の種別を容易かつ確実に認識できる。その結果、ユーザーは、誤操作による意図せぬセルフタイマー撮影が行われることにすぐに気づくことができ、意図通りのセルフタイマー撮影が行われるよう操作をすぐにやり直すことができる（意図通りのセルフタイマー撮影を短時間で行える）。
【０１３８】
なお、記録される画像のアスペクト比に合わせてＬＶ画像のアスペクト比を変えてもよい。そうすれば、記録される画像のアスペクト比が複数の動作モードの間で異なる場合に、ユーザーは、ＬＶ画像のアスペクト比から動作モードを認識でき、セルフタイマー撮影の種別などを認識できる。しかしながら、記録される画像のアスペクト比が複数の動作モードの間で同じ場合には、ユーザーは、セルフタイマー撮影の種別などを容易に認識できない。本実施形態では、ユーザーは、カウントダウン用のアイテムの表示形態などから、アスペクト比で認識するよりも確実にセルフタイマー撮影の種別などを認識できる。
【０１３９】
本実施形態では、静止画撮影モードで動画ボタンが押下された場合に、設定に関わらずセルフタイマーのカウントダウンをせずにすぐに動画撮影を行う例を説明した。ただしこれに限るものではなく、静止画撮影モードで動画ボタンが押下された場合に、動画のセルフタイマー撮影を行ってもよい。また、動画撮影モードにおいて、シャッターボタン６１が押下された場合は、静止画の撮影も動画の撮影も行わなくてもよい。動画のセルフタイマー撮影を行ってもよいし、セルフタイマーのカウントダウンをせずにすぐに動画撮影を行ってもよい。シャッターボタン６１を静止画の撮影指示専用の操作部材とみなし、動画撮影モードにおいてシャッターボタン６１が押下された場合に、セルフタイマーのカウントダウンをせずにすぐに静止画撮影を行ってもよいし、静止画のセルフタイマー撮影を行ってもよい。動作モードに依らず、静止画の撮影指示に応じて静止画のセルフタイマー撮影を行い、動画の撮影指示に応じて動画のセルフタイマー撮影を行ってもよい。なお、静止画のセルフタイマー撮影では、カウントダウン用のアイテムの表示形態は静止画撮影モード処理と同じ表示形態にし、動画のセルフタイマー撮影では、カウントダウン用のアイテムの表示形態は動画撮影モード処理と同じ表示形態にする。
【０１４０】
カウントダウンの進行に応じてカウントダウン用のアイテム（図８のアイテム８０１，８１１，８２１）の色が変化してもよい。例えば、１秒経過する度にカウントダウン用のアイテムの色が変化してもよい。具体的には、カウントダウン用のアイテムの色は、セルフタイマーの満了の１０秒前でオレンジ色、９秒前で緑色、８秒前でオレンジ色、というように変化してもよい。
【０１４１】
図３〜５のステップＳ３１７，Ｓ４１０，Ｓ５１８の間で発光部１４０の発光を同じにしてもよいし、そうしなくてもよい。複数の動作モードで発光部１４０の点滅パターンを異ならせてもよい。例えば、静止画撮影モードでは発光部１４０がカウントダウン１秒毎に１度明滅をし、動画撮影モードでは、発光部１４０が、カウントダウン１秒毎に、２回の素早い明滅と、明滅の期間に比べて長い消灯とを１度繰り返してもよい。複数の動作モードで発光部１４０の発光色を異ならせてもよい。例えば、静止画撮影モードでは発光部１４０が青色で点灯し、動画撮影モードでは発光部１４０が赤色で点灯してもよい。カウントダウンの残り時間に応じて点滅の速度や発光色を変更してもよい。
【０１４２】
図３〜５のステップＳ３２０，Ｓ４１３，Ｓ５２１の間でビープ音を異ならせてもよい。
例えば、静止画撮影モードではカウントダウン１秒毎に１度ビープ音を鳴らし、動画撮影モードでは、カウントダウン１秒毎に、２回の素早いビープ音出力と、ビープ音出力の期間に比べて長い消音（ビープ音出力の停止）とを１度繰り返してもよい。静止画撮影モードではビープ音を鳴らし、動画撮影モードではメロディを流してもよい。
【０１４３】
各動作モードにおいて、表示部２８（具体的には表示部２８の表示面上に設けられたタッチパネル）へのタッチや、撮影モードダイヤル６０の回転などにより、セルフタイマー撮影のカウントダウンを途中停止できてもよい。これにより、ユーザーは、誤りに気づいた際に、すぐにセルフタイマー撮影を停止してやり直すことができる。
【０１４４】
各動作モードのセルフタイマー撮影におけるカウントダウン中の画面は、図８（ａ）〜８（ｃ）に示した画面に限るものではない。図１０（ａ）〜１０（ｃ）は、セルフタイマー撮影におけるカウントダウン中の他の画面例を示す。図１０（ａ）〜１０（ｃ）において、図７（ａ）〜７（ｃ）と同じ表示要素には、図７（ａ）〜７（ｃ）と同じ符号が付されている。
【０１４５】
図１０（ａ）は、静止画撮影モードに含まれるプログラムモード（Ｐモード）のセルフタイマー撮影でカウントダウン中に表示される画面の一例を示す。撮影モードアイコン７０２ａは、現在の撮影モードが、静止画撮影モードに含まれるプログラムモード（Ｐモード）であることを示している。カウントダウンアイテム１００１は、セルフタイマーのカウントダウンの経過に従って動的に減少する数値（残り時間）を表示し、図１０（ａ）では静止画撮影が行われるまで残り８秒であることを表示している。この数値は１秒毎に更新され、残り７秒であれば７が、残り６秒であれば６が表示される。セルフタイマー撮影の開始前には、カウントダウンアイテム１００１の表示領域に、記録媒体２００の残容量で記録できる静止画の枚数である残り撮影可能枚数が表示される。メッセージ１００２は、カウントダウン中に表示部２８の表示面（タッチパネルの操作面）にタッチダウンすることでセルフタイマー撮影を中止することが可能であることを示すガイダンスである。表示アイテム１００３，１００４，１００５，１００６は、いずれも現在の撮影設定を示しており、それぞれシャッター速度、絞り値、露出補正、ＩＳＯ感度を示している。
【０１４６】
図１０（ｂ）は、動画撮影モードのセルフタイマー撮影でカウントダウン中に表示される画面の一例を示す。撮影モードアイコン７１２は、現在の撮影モードが動画撮影モードであることを示している。カウントダウンアイテム１０１１は、セルフタイマーのカウントダウンの経過に従って動的に減少する数値（残り時間）を表示し、図１０（ｂ）では動画撮影が行われるまで残り８秒であることを示している。この数値は１秒毎に更新され、残り７秒であれば７が、残り６秒であれば６が表示される。カウントダウンアイテム１０１１は、直径２０ｍｍの円形の表示アイテムであり、オレンジ色で塗りつぶされた円形のオブジェクトに白色の上記数値を重ねた表示形態を有する。カウントダウンアイテム１０１１は、表示部２８の表示面の中央を避けた左側で、表示面の上下方向における中央部分に表示される。これによって、表示面の中央に写る主要な被写体の視認性を妨げることなく、ユーザーがカウントダウンの数値をより確実に視認できるようになっている。
【０１４７】
図１０（ａ），１０（ｂ）に示すように、動画撮影モードの場合（図１０（ｂ））には、カウントダウンアイテムは、静止画撮影モードの場合（図１０（ａ））よりも目立つ表示形態で表示される。このため、ユーザーは、これから行われる撮影が静止画撮影なのか動画撮影なのかを、カウントダウン中にカウントダウンアイテムから識別することができる。
【０１４８】
また、静止画のセルフタイマー撮影のカウントダウンアイテム１００１は、動画のセルフタイマー撮影のカウントダウンアイテム１０１１に比べて、ＬＶ画像７０１の視認性をより妨げないように表示される。これは、静止画のセルフタイマー撮影においては、静止画の撮影タイミングに合わせて、ユーザーが構図を正確に合わせる必要があり、カウントダウン中のＬＶ画像の視認性がより重要であると考えられるためである。例えば、１０秒のセルフタイマー撮影を用いる典型的なケースとして、撮影者を含む集合写真を撮影するケースがある。このケースでは、セルフタイマーのカウントダウン中に、撮影者を含む全員が撮影範囲からはみ出ることなく撮影範囲に収まるように並ぶ必要があり、それを確認するために画面の左右端までＬＶ画像を視認できる必要がある。そのため、カウントダウンアイテム１００１は、ＬＶ画像の視認性を妨げないことを重視し、表示面の上下方向における中央部分の左右端ではなく、上端に寄せて表示している。集合写真に限らず、静止
画撮影においては、静止画撮影のタイミングまでに静止ポーズを決めるため、構図確認がより重要であり、ＬＶ画像の視認性が重要である。また、撮影開始の数秒前から被写体が静止したポーズをとるケースが多く、撮影開始のタイミングを知ることはさほど厳密に要求されない。これに対し、動画のセルフタイマー撮影においては、動画の撮影開始後の撮影中にも被写体が動くため、セルフタイマー中の構図確認は静止画の場合よりは重要視されない。撮影範囲に被写体が概ね収まっていることが確認できればよい。そして、被写体が撮影開始時に止まったままのポーズを保持すればよい静止画に対し、動画は被写体が撮影開始に応じて動き出す、話し始めるなどのアクションを開始する必要がある。そのため、構図の確認よりも撮影開始のタイミングを知ることが重要である。従って、カウントダウンアイテム１０１１は目立つように大きく表示する。同様の理由により、図８（ｂ）のカウントダウンアイテム８１１は、図８（ａ）のカウントダウンアイテム８０１よりも大きいサイズで表示されている。
【０１４９】
図１０（ｃ）は、静止画撮影モードに含まれる自分撮りモード（セルフポートレートモード）のセルフタイマー撮影でカウントダウン中に表示される画面の一例を示す。撮影モードアイコン７０２ｂは、現在の撮影モードが、静止画撮影モードに含まれる自分撮りモード（セルフポートレートモード）であることを示している。カウントダウンアイテム１０２１は、セルフタイマーのカウントダウンの経過に従って動的に減少する数値（残り時間）を表示し、図１０（ｃ）では静止画撮影が行われるまで残り８秒であることを示している。この数値は１秒毎に更新され、残り７秒であれば７が、残り６秒であれば６が表示される。そして、残り２秒となったことに応じて非表示となる。カウントダウンアイテム１０２１は、直径１８ｍｍの円形の表示アイテムであり、オレンジ色で塗りつぶされた円形のオブジェクトに白色の上記数値を重ねた表示形態を有する。すなわち、カウントダウンアイテム１０２１は、カウントダウンアイテム１０１１よりも小さいサイズで表示される。カウントダウンアイテム１０２１は、表示部２８の表示面の中央を避けた左側で、表示面の上下方向における中央部分に表示される。これによって、表示面の中央に写る主要な被写体の視認性を妨げることなく、ユーザーがカウントダウンの数値をより確実に視認できるようになっている。
【０１５０】
このように、自分撮りモードの場合には、静止画撮影モードに含まれる他の撮影モードと同様に、動画撮影モードの場合よりも目立たないように表示するが、当該他の撮影モードと異なり、カウントダウンアイテムを目立つように大きく表示する。これは、自分撮りモードでは、撮影者がデジタルカメラ１００を手で持って撮影するケースを想定しており、少なくとも撮影直前の数秒前までは集合写真のようなケースほど厳密な構図確認が不要であると考えられるためである。ただし、撮影直前の数秒前（例えば２秒前）には、撮影者が表情を決めるなどの構図確認が重要になるため、カウントダウンアイテム１０２１を非表示とし、ＬＶ画像７０１を視認しやすくする。撮影直前の数秒前からカウントダウンアイテムよりもＬＶ画像の視認性を優先するのは、前述したように、静止画撮影では動画撮影ほど撮影開始のタイミングの把握が厳密に要求されないことも理由の１つである。なお、セルフタイマー撮影の設定時間が２秒未満である場合には、最初からカウントダウンアイテム１０２１は表示されない。なお、自分撮りモードに限らず、静止画のセルフタイマー撮影において、表示していたカウントダウンアイテムを、撮影開始直前の所定時間前（例えば２秒前）になったことに応じて非表示とするようにしてもよい。また、セルフタイマーの設定時間が所定時間以下の場合にカウントダウンアイテムを表示しないようにしてもよい。一方で、動画のセルフタイマー撮影においては、撮影開始直前の所定時間前になっても非表示とすることなくカウントダウンアイテムの表示を継続し、設定時間が所定時間以下であってもカウントダウンアイテムを表示する。
【０１５１】
なお、システム制御部５０が行うものとして説明した上述の各種制御は１つのハードウェアが行ってもよいし、複数のハードウェア（例えば、複数のプロセッサーや回路）が処
理を分担することで、装置全体の制御を行ってもよい。
【０１５２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１５３】
また、上述した実施形態においては、本発明をデジタルカメラ１００に適用した場合を例にして説明したが、これはこの例に限定されず、撮影や表示を制御可能な電子機器であれば適用可能である。例えば、本発明は、パーソナルコンピュータやＰＤＡ、携帯電話端末や携帯型の画像ビューワ、プリンタ装置、デジタルフォトフレーム、音楽プレーヤー、ゲーム機、電子ブックリーダー、映像プレーヤーなどに適用可能である。また、本発明は、テレビジョン装置、投影装置、タブレット端末、スマートフォン、ＡＩスピーカー、家電装置、車載装置、医療機器などにも適用可能である。
【０１５４】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【０１５５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１５６】
１００：デジタルカメラ  ５０：システム制御部
【図１】
2020085943.tif 000003
【図２】
2020085943.tif 000004
【図３】
2020085943.tif 000005
【図４】
2020085943.tif 000006
【図５】
2020085943.tif 000007
【図６】
2020085943.tif 000008
【図７】
2020085943.tif 000009
【図８】
2020085943.tif 000010
【図９】
2020085943.tif 000011
【図１０】
2020085943.tif 000012